(57)【要約】      （修正有）【課題】簡易な装置且つ少ない熱源で効率的に融雪して逆Ｖ字状屋根の除雪を行うとともに、既存の逆Ｖ字状屋根にも容易に適用できる屋根の除雪構造を提供する。【解決手段】正面形状が逆Ｖ字状の屋根２の頂部２１に沿って、水平方向に赤外線光源１１を設置した。【選択図】図１
0003122842.tif 000002
【実用新案登録請求の範囲】
【請求項１】
正面形状が逆Ｖ字状の屋根の頂部に沿って、水平方向に赤外線光源を設置したことを特徴とする屋根の除雪構造。
【請求項２】
前記屋根の頂部に、上方に突出する垂直方向の赤外線光源を適宜間隔で設置するとともに、前記水平方向および垂直方向の赤外線光源は保護カバーで覆われていることを特徴とする請求項１に記載の屋根の除雪構造。
【請求項３】
前記屋根の裏側に、前記屋根の頂部に向けて投光する赤外線光源を設けたことを特徴とする請求項１に記載の屋根の除雪構造。
【請求項４】
前記屋根の裏側に、前記屋根面全体に向けて投光する赤外線光源を設けたことを特徴とする請求項１に記載の屋根の除雪構造。
【請求項５】
前記赤外線光源は通常時には作動させず、融雪時のみ作動させて前記屋根頂部を融雪し、積雪を前記屋根の両側面側に分離させた後、該分離した積雪を前記屋根の側面に沿って自然落下させることを特徴とする請求項１〜３のいずれかに記載の屋根の除雪構造による屋根の除雪方法。
【考案の詳細な説明】
【技術分野】
【０００１】  本考案は、屋根の除雪構造及び除雪方法に関し、詳しくは、切妻屋根等のように正面形状が逆Ｖ字状の屋根上の積雪の一部を融雪することにより除雪する屋根の除雪構造及びその除雪構造による除雪方法に関するものである。
【背景技術】
【０００２】  豪雪地域では、冬季、屋根の上に大量の積雪が生じ、積雪の重量による家屋倒壊等を防止するために、従来より人力による雪下ろしが行われている。【０００３】  降雪直後の積雪は柔らかく、比較的容易に除雪することができるが、時間が経過すると、積雪が凍結して硬くなり、人力による除雪が困難になる。また、柔らかい雪であっても、人力による屋根の雪下ろしは極めて重労働である。【０００４】  豪雪地域においては、雪が重力により自然に落下して屋根上に多くの積雪が溜まらないように、切妻屋根等のように正面が逆Ｖ字状の屋根の傾斜角度を大きくすることが多い。ところが、このような逆Ｖ字状の屋根において、頂部の積雪が凍結すると、頂部を挟んだ左右両側の積雪が連結される。そのため、屋根上で両側の積雪が力学的につり合った状態となり、重力で自然に落下しなくなる。しかも、頂部の積雪が凍結すると、人力による除雪もさらに困難になる。【０００５】  このような問題を解決するため、従来より、例えば特許文献１に開示されているように、各種熱媒体等を用いて屋根上の積雪を融雪する方法が提案されている。【０００６】  しかしながら、従来提案されている屋根の融雪構造は、屋根面全体の積雪を融雪するものであり、大がかりな装置や多大な熱源を要していた。しかも、これらは、通常、屋根の仕上げ材と野地板との間に熱を通すため、既存の屋根に適用する場合には、大がかりな改修工事を要する。
【特許文献１】  特開平８−２０９８６８号公報
【考案の開示】
【考案が解決しようとする課題】
【０００７】  本考案は、上記従来技術を考慮してなされたものであり、簡易な装置且つ少ない熱源で効率的に融雪して逆Ｖ字状屋根の除雪を行うとともに、既存の逆Ｖ字状屋根にも容易に適用できる屋根の除雪構造の提供を目的とする。
【課題を解決するための手段】
【０００８】  請求項１の考案は、正面形状が逆Ｖ字状の屋根の頂部に沿って、水平方向に赤外線光源を設置したことを特徴とする屋根の除雪構造を提供する。【０００９】  請求項２の考案は、請求項１の考案において、前記屋根の頂部に、上方に突出する垂直方向の赤外線光源を適宜間隔で設置するとともに、前記水平方向および垂直方向の赤外線光源は保護カバーで覆われていることを特徴とする。【００１０】  請求項３の考案は、請求項１の考案において、前記屋根の裏側に、前記屋根の頂部に向けて投光する赤外線光源を設けたことを特徴とする。【００１１】  請求項４の考案は、請求項１の考案において、前記屋根の裏側に、前記屋根面全体に向けて投光する赤外線光源を設けたことを特徴とする。【００１２】  請求項５の考案は、請求項１〜３のいずれかの考案を用いて、前記赤外線光源は通常時には作動させず、融雪時のみ作動させて前記屋根頂部を融雪し、積雪を前記屋根の両側面側に分離させた後、該分離した積雪を前記屋根の側面に沿って自然落下させることを特徴とする屋根の除雪方法を提供する。
【考案の効果】
【００１３】  請求項１の考案によると、水に対する熱吸収がよい赤外線光源を、屋根の頂部に沿って水平方向に設けることにより、屋根頂部の積雪を効率的に融雪できる。屋根の頂部が融雪することにより、逆Ｖ字状の屋根上の積雪が両側面に分離され、それぞれ重力により屋根の傾斜に沿って落下する。従って、屋根頂部の積雪だけを融雪することにより、自然に屋根の雪下ろしができる。また、このような赤外線光源は、新築の場合はもちろん、既存の屋根にも容易に設置できる。【００１４】  請求項２の考案によると、水平方向の赤外線光源に加えて垂直方向の赤外線光源を設置することにより、積雪の外側からも赤外線を照射できるので、大量の積雪時や極低温時にも迅速に融雪することができる。また、水平方向および垂直方向の赤外線光源を保護カバーで覆うことにより、赤外線光源の破損等を防ぐ。【００１５】  請求項３の考案によると、屋根の裏側から屋根頂部に向けて投光する赤外線光源を設けることにより、屋根裏から投光される赤外線が屋根頂部の積雪に作用してさらに融雪が促進され、効果的な屋根の除雪が可能となる。【００１６】  請求項４の考案によると、屋根面全体に向けて投光する赤外線光源が備わるため、屋根面上の積雪を滑りやすくすることができる。このため、屋根の頂部を融雪して重力により容易に落雪させることができる。【００１７】  請求項５の考案によると、通常の積雪時には赤外線光源を作動させず、融雪時のみ作動させることにより、少ない熱量で除雪することができる。また、常時あるいは不意に積雪が落下することがなく、必要時のみ赤外線光源を作動させて積雪を落下させることができる。
【考案を実施するための最良の形態】
【００１８】  図１は、本考案の実施例を示す。【００１９】  図に示すような切妻形状や、例えば寄棟形状等、正面形状が逆Ｖ字状の屋根２の頂部２１に沿って水平方向に、赤外域または遠赤外域の光を発する赤外線光源１１を設置する。また、適宜間隔を設けて、屋根頂部２１から上方へ突出する垂直方向の複数の赤外線光源１２を設置する。この垂直方向の赤外線光源１２は、積雪量がそれほど多くない地域や、小規模な屋根等においては省略してもよい。これらの赤外線光源１１，１２は、通常時には作動させず、頂部２１の積雪を融雪する必要が生じたときに必要量だけ作動させる。【００２０】  赤外線光源１１，１２は、例えば、炭素繊維に通電して赤外域または遠赤外域の光を発する炭素ヒータが用いられる。赤外線及び遠赤外線（以下、赤外線と記す）は、エネルギー効率がよいうえ、水に対して熱吸収しやすいため、積雪に向けて赤外線を照射することにより、効率的に融雪することができる。また、赤外線は、風に左右されず空間を直進するので、屋外での使用に適している。【００２１】  赤外線光源１１，１２は、保護カバー１３，１４内に設置され、保護カバー１３，１４内には、赤外線が効率的に屋根頂部２１の積雪に向かうように、適宜反射板が設けられる。【００２２】  図２は、本考案の除雪手順を示す説明図である。【００２３】  屋根２上の積雪量が一定量を超えた後凍結して、（Ａ）に示すように、正面形状が逆Ｖ字状屋根２の左右両側の積雪３が屋根頂部２１で連結されると、屋根２上で左右の積雪３が力学的につり合い、重力により自然に落下しなくなる。このような状態になると、屋根頂部２１に設けた赤外線光源１１のスイッチを入れる。【００２４】  赤外線光源１１から屋根頂部２１の積雪に向かって赤外域の光線が発せられると、（Ｂ）に示すように、屋根頂部２１が融雪して、積雪３が屋根２の左右両側に分かれる。【００２５】  積雪３が左右両側に分かれると、（Ｃ）に示すように、重力により屋根２の傾斜に沿って自然に落下する。従って、人力による雪かきを行うことなく、容易に屋根の除雪ができる。また、屋根２全体を温めなくても、少ない熱源で除雪することができる。【００２６】  本考案では、赤外線光源は通常の降雪時には作動させず、頂部２１を融雪する時のみ作動させるため、極めて少ない熱量で除雪を行うことができる。【００２７】  図３は、本考案の異なる実施例であり、屋根裏に赤外線光源１５を設けたものである。【００２８】  屋根２の頂部２１の裏面側に、屋根２側に向けて投光する赤外線光源１５が設けられる。赤外線は水に直接作用するため、屋根裏側から屋根２に向けて赤外線を投光することにより、屋根２上の積雪に作用して融雪させることができる。このように、屋根２の外側に設けた赤外線光源１１に加えて、屋根裏側の赤外線光源１５から投光することにより、さらに迅速に屋根２頂部２１の積雪を融雪し、屋根２上を除雪することができる。【００２９】  また、赤外線光源１５は、屋根２の裏面全体に向けて投光することもできる。これにより、屋根２上の積雪が滑りやすくなり、屋根２の外側に設けた赤外線光源１１に加えて、さらに迅速に屋根２頂部２１の積雪を融雪し、屋根２上を除雪することができる。
【産業上の利用可能性】
【００３０】  本考案は、切妻や寄棟等、正面形状が逆Ｖ字状で、頂部に線状の水平部を有する形状の屋根の除雪構造として適用できる。
【図面の簡単な説明】
【００３１】
【図１】  本考案の実施例を示す斜視図。
【図２】  本考案の除雪手順を示す説明図。
【図３】  本考案の異なる実施例を示す断面図。
【符号の説明】
【００３２】２：屋根、３：積雪、１１，１２，１５：赤外線光源、１３，１４：保護カバー、２１：頂部
【図１】
0003122842.tif 000003
【図２】
0003122842.tif 000004
【図３】
0003122842.tif 000005
【手続補正書】
【提出日】平成18年4月19日(2006.4.19)
【手続補正１】
【補正対象書類名】実用新案登録請求の範囲
【補正対象項目名】全文
【補正方法】変更
【補正の内容】
【実用新案登録請求の範囲】
【請求項１】
正面形状が逆Ｖ字状の屋根の頂部に沿って、水平方向に赤外線光源を設置したことを特徴とする屋根の除雪構造。
【請求項２】
前記屋根の頂部に、上方に突出する垂直方向の赤外線光源を適宜間隔で設置するとともに、前記水平方向および垂直方向の赤外線光源は保護カバーで覆われていることを特徴とする請求項１に記載の屋根の除雪構造。
【請求項３】
前記屋根の裏側に、前記屋根の頂部に向けて投光する赤外線光源を設けたことを特徴とする請求項１に記載の屋根の除雪構造。
【請求項４】
前記屋根の裏側に、前記屋根面全体に向けて投光する赤外線光源を設けたことを特徴とする請求項１に記載の屋根の除雪構造。
【手続補正３】
【補正対象書類名】明細書
【補正対象項目名】０００１
【補正方法】変更
【補正の内容】
【０００１】
本考案は、屋根の除雪構造に関し、詳しくは、切妻屋根等のように正面形状が逆Ｖ字状の屋根上の積雪の一部を融雪することにより除雪する屋根の除雪構造に関するものである。
【手続補正４】
【補正対象書類名】明細書
【補正対象項目名】００１２
【補正方法】削除
【補正の内容】
【手続補正５】
【補正対象書類名】明細書
【補正対象項目名】００１７
【補正方法】削除
【補正の内容】